(57)【要約】      （修正有）【目的】テンプルを用いずに鼻背に装着可能であると共に、落下を可及的に抑制可能な眼鏡を提供する。【構成】眼鏡は、孔部を備えた突起片２３であるリム取り付け部材を有すると共に、孔部を有する一対の薄板を設けた第一の板材２１と、第二の板材２２を、薄板の孔部に設けたボルト及びナットで開閉自在に連結すると共に、第一の板材と第二の板材をバネにより付勢することで弾性力を付与したクリップ部と、リム１１に孔部を備えた突起部を設けたレンズ１０と、リムの孔部とリム取り付け部材の孔部間に緩挿してレンズを取り付けるボルト及びナットとにより構成される。第一の板材及び第二の板材の先端部に弾性材をはさんで取り付けるのが好ましい。【選択図】図３
0003218751.tif 000002
【実用新案登録請求の範囲】
【請求項１】
孔部（２３ａ）を備えた突起片（２３）であるリム取り付け部材を有すると共に、孔部（２４ａ）を有する一対の薄板（２４）を設けた第一の板材（２１）と、孔部（２３ａ）を備えた突起片（２３）であるリム取り付け部材を有すると共に、孔部（２５ａ）を有する一対の薄板（２５）を設けた第二の板材（２２）を、孔部（２３ａ，２５ａ）にボルト（２６）を緩挿しナット（２７）で締めることで開閉自在に連結すると共に、第一の板材（２１）と第二の板材（２２）をバネ（２８）により付勢することで弾性力を付与したクリップ部（２０）と、
リム（１１）に孔部（１３）を備えた突起部（１２）を設けたレンズ（１０）と、
孔部（２３ａ）と孔部（１３）間に緩挿されるボルト（１４）及びナット（１５）と、
により成る眼鏡。
【請求項２】
第一の板材（２１）及び第二の板材（２２）の先端部に弾性材（２９）を取り付けた請求項１に記載の眼鏡。
【考案の詳細な説明】
【技術分野】
【０００１】
本考案はテンプルを有さず、鼻背に取り付け可能な眼鏡に関する。
【背景技術】
【０００２】
特許文献１には眼鏡のフレームにおけるブリッジに上下方向に伸びる調板を設け、該調板にクリップを取り付けることで帽子の鍔に着脱可能としたテンプルを有しない眼鏡が開示されている。
【０００３】
特許文献２にはブリッジに弾力性を持たせることで、テンプル無しでも鼻に装着可能とした眼鏡が開示されている。
【先行技術文献】
【特許文献】
【０００４】
【特許文献１】実開昭５９−２２４１６号公報
【特許文献２】登録実用新案第３１２７６９２号公報
【考案の開示】
【考案が解決しようとする課題】
【０００５】
通常の眼鏡は、テンプルを耳に掛けて装着される。他方で、テンプルを有さず、鼻を挟むことで装着する鼻眼鏡と呼ばれる眼鏡が、１９世紀から２０世紀初頭の欧米で流行したこともある。
【０００６】
上記鼻眼鏡は、掛け外しの手軽さや、見た目が良く洒落ているといった利点を有するものである。
【０００７】
ところが、テンプルを備えた耳掛け眼鏡に比べ、落下しやすいという問題点があった。
【０００８】
そこで本考案はテンプルを用いずに鼻背に装着可能であると共に、落下を可及的に抑制可能な眼鏡を提供することを目的とする。
【課題を解決するための手段】
【０００９】
上記課題を解決する本考案の構成は、以下の通りである。
【００１０】
（１）  請求項１に記載の考眼鏡は、孔部を備えた突起片であるリム取り付け部材を有すると共に、孔部を有する一対の薄板を設けた第一の板材と、孔部を備えた突起片であるリム取り付け部材を有すると共に、孔部を有する一対の薄板を設けた第二の板材を、孔部にボルトを緩挿しナットで締めることで開閉自在に連結すると共に、第一の板材と第二の板材をバネにより付勢することで弾性力を付与したクリップ部と、リムに孔部を備えた突起部を設けたレンズと、孔部と孔部間に緩挿されるボルト及びナットとにより構成した。
【００１１】
により
（２）  請求項２に記載の眼鏡は、請求項１記載の考案において、第一の板材及び第二の板材の先端部に弾性材を取り付けて構成した。
【考案の効果】
【００１２】
上記のように構成される本考案は、以下に示される効果を奏するものである。
【００１３】
本考案に係る眼鏡は、クリップ部にレンズを取り付け、該クリップ部で着用者の鼻背を挟持することで着用するものである。かように構成することで、テンプルを用いずに鼻背に装着可能となる。
【００１４】
テンプルを有しないことから、本考案に係る眼鏡を装着したまま、フルフェイスのヘルメットを被ることが容易である。
【００１５】
クリップ部による鼻背の挟持強さを調整可能にしてあることから、着用者の好みに応じた取り付け強度を得ることが可能となる。
【００１６】
クリップ部とレンズの取り付け角度を調節可能にしていることから、着用者の顔の形状に合わせて装着可能となる。
【００１７】
クリップ部の先端部に弾性材を取り付けてあることから、クリップ部による鼻背の挟持に伴う痛みや不快感が軽減可能となる。
【００１８】
鼻背を挟持して装着することから、鼻孔の通りが良くなる。
【００１９】
片手で着脱可能なことから、バイクや車の運転中、その他様々な作用中でも容易に着脱可能となる。
【００２０】
テンプルを有しないため、着用者の顔に跡形が残らない。
【００２１】
クリップ部で挟んで収容保管が可能であることから、様々な場所にどこでも簡単に保管ができ、衣服の襟などにも保管可能となる。
【００２２】
通常の眼鏡以外でもサングラスや溶接工眼鏡などにも利用可能である。
【００２３】
レンズが損傷しても、片方ごとに取り換え可能である。
【図面の簡単な説明】
【００２４】
【図１】本考案の正面図
【図２】同、背面図
【図３】同、平面図
【図４】レンズの正面図
【図５】同、背面図
【図６】同、平面図
【図７】クリップ部近傍の拡大説明図
【図８】クリップ部の正面図
【図９】同、背面図
【図１０】同、平面図
【図１１】同、左側面図
【図１２】同、斜視図
【考案を実施するための形態】
【００２５】
以下、好ましい本考案の構成要素の実施形態につき、図面を参照しながら概説する。なお、本考案構成要素の実施形態は、下記の実施形態に何ら限定されることはなく、本考案の技術的範囲に属する限り、種々の形態を採りうる。
【００２６】
本考案に係る眼鏡は、レンズ１０と該レンズ１０の外周に設けられたリム１１及びクリップ部２０を主な構成要素とする。以下、詳述する。
【００２７】
図４乃至図６に示すように、レンズ１０の外周は、樹脂製あるいは金属製のリム１１で囲われており、該リム１１には、孔部１３を備えた突起部１２が一体的に設けられている。
【００２８】
クリップ部２０は図８乃至図１２に示すように第一の板２１材と第二の板材２２とにより成るものである。なお、以下クリップ部２０の説明において、図１０におけるＦが前方、Ｂが後方、Ｒが右方向、Ｌが左方向を規定し、図８におけるＵが上方をＤが下方を規定する。
【００２９】
図１０や図１２に示すように第一の板材２１は、その前方に孔部２３ａを有する突起片２３を、上下方向に並列して二個備えるものである。また、第一の板材２１には右方向に伸びる薄板２４が上下方向に二個並列して設けられている。この薄板２４には孔部２４ａが設けられている。一方、第二の板材２２は、その前方に孔部２３ａを有する突起片２３を、上下方向に並列して二個備えるものである。また、第二の板材２２には左方向に伸びる薄板２５が上下方向に二個並列して設けられている。この薄板２５には孔部２５ａが設けられている。
【００３０】
薄板２４と薄板２５はそれぞれが摺動可能に、且つ、その孔部２４ａと孔部２５ａとが上下に重なる位置に来るよう設けられており、孔部２４ａと２５ａを貫通する形態でボルト２６が緩挿され、ナット２７で固定されている。かかる構造ゆえに第一の板材２１と第二の板材２２は開閉自在となる。
【００３１】
上記ボルト２６にはバネ２８が巻回されており、バネ２８の上端２８ａは直線状に延設され第二の板材２２に当接しており、下端２８ｂは第一の板材２１に当接している。これにより第一の板材２１と第二の板材２２はその前方が閉じる方向に付勢されることになる。バネ２８は図示された巻きばね以外にも、板バネなどを利用可能なものである。
【００３２】
上記のように構成されるため、ナット２７を強く締めれば、第一の板材２１と第二の板材２２は、薄板２４と薄板２５との接触が強くなることで摩擦が強まり、開閉しづらくなる。つまりは、バネ２８による付勢が弱まることになる。逆にナット２７の締め付けを弱くすれば、薄板２４と薄板２５との接触が弱くなることで摩擦が弱まり、バネ２８による付勢が強まる。かかる構造ゆえに、クリップ部による鼻背の挟持強さが調整可能となるものである。
【００３３】
請求項２に記載の考案では、第一の板材２１と第二の板材２２の前方である先端部にはそれぞれ弾性材２９が取り付けてある。この弾性材はシリコンラバー、その他の弾力性を有するゴム材で形成してある。
【００３４】
第一の板材２１の上下の突起片２３，２３間、第二の板材２２の上下の突起辺２３,２３間には、図７に示すようにリム１１，１１の突起部１２，１２がそれぞれ摺動自在に嵌め込まれている。そのうえで孔部２３ａ・・孔部１３・・を貫通する形態でボルト１４が緩挿され、ナット１５により固定されている。かかる構造でレンズ１０とクリップ２０を固定するものである。
【００３５】
この際、ナット１５による締結を弱くすれば、レンズ１０及びリム１１は図３における矢印方向に移動が可能となる。かかる構造ゆえにクリップ部２０とレンズ１０の取り付け角度が調節可能となり、着用者の顔の形状に合わせた装着が可能となるのである。
【符号の説明】
【００３６】
１０・・レンズ
１１・・リム
１２・・突起部
１３・・孔部
１４・・ボルト
１５・・ナット
２０・・クリップ部
２１・・第一の板材
２２・・第二の板材
２３・・突起片
２３ａ・・孔部
２４・・薄板
２４ａ・・孔部
２５・・薄板
２５ａ・・孔部
２６・・ボルト
２７・・ナット
２８・・バネ
２９・・弾性材
【図１】
0003218751.tif 000003
【図２】
0003218751.tif 000004
【図３】
0003218751.tif 000005
【図４】
0003218751.tif 000006
【図５】
0003218751.tif 000007
【図６】
0003218751.tif 000008
【図７】
0003218751.tif 000009
【図８】
0003218751.tif 000010
【図９】
0003218751.tif 000011
【図１０】
0003218751.tif 000012
【図１１】
0003218751.tif 000013
【図１２】
0003218751.tif 000014
【手続補正書】
【提出日】平成30年9月5日(2018.9.5)
【手続補正１】
【補正対象書類名】実用新案登録請求の範囲
【補正対象項目名】全文
【補正方法】変更
【補正の内容】
【実用新案登録請求の範囲】
【請求項１】
孔部（２３ａ）を備えた突起片（２３）であるリム取り付け部材を有すると共に、孔部（２４ａ）を有する一対の薄板（２４）を設けた第一の板材（２１）と、孔部（２３ａ）を備えた突起片（２３）であるリム取り付け部材を有すると共に、孔部（２５ａ）を有する一対の薄板（２５）を設けた第二の板材（２２）を、孔部（２４ａ，２５ａ）にボルト（２６）を緩挿しナット（２７）で締めることで開閉自在に連結すると共に、第一の板材（２１）と第二の板材（２２）をバネ（２８）により付勢することで弾性力を付与したクリップ部（２０）と、
リム（１１）に孔部（１３）を備えた突起部（１２）を設けたレンズ（１０）と、
孔部（２３ａ）と孔部（１３）間に緩挿されるボルト（１４）及びナット（１５）と、
により成る眼鏡。
【請求項２】
第一の板材（２１）及び第二の板材（２２）の先端部に弾性材（２９）を取り付けた請求項１に記載の眼鏡。